(57)【要約】【課題】本発明は、新規な構造を採用することで、小型化、軽量化が可能なバッテリパック用保護装置、その製造方法およびこれを備えたバッテリパックを提供する。【解決手段】本発明は、バッテリパック用保護装置、その製造方法およびこれを備えたバッテリパックに関し、パッド部、および前記パッド部の外側に位置するが、前記パッド部およびベアセルと電気的に連結される連結部を含む導電部と、前記導電部の少なくとも一部をカバーする絶縁部とを含み、前記パッド部および前記連結部は、同一平面上に位置することを特徴とし、小型化が可能であり、かつ、安全性に優れたバッテリパック用保護装置、その製造方法およびこれを備えたバッテリパックを提供する。【選択図】図１
2014186996.tif 000002
【特許請求の範囲】
【請求項１】
パッド部、および前記パッド部の外側に位置するが、前記パッド部およびベアセルと電気的に連結される連結部を含む導電部と、
前記導電部の少なくとも一部をカバーする絶縁部とを含み、
前記パッド部および前記連結部は、同一平面上に位置することを特徴とするバッテリパック用保護装置。
【請求項２】
前記導電部は、前記パッド部および前記連結部と電気的に連結されるパターン部をさらに含むことを特徴とする請求項１に記載のバッテリパック用保護装置。
【請求項３】
前記導電部上に位置する電子素子をさらに含み、
前記絶縁部は、前記電子素子をカバーすることを特徴とする請求項１に記載のバッテリパック用保護装置。
【請求項４】
前記導電部同士は、前記電子素子を介して電気的に連結されることを特徴とする請求項３に記載のバッテリパック用保護装置。
【請求項５】
前記導電部同士を電気的に連結する配線部をさらに含むことを特徴とする請求項１に記載のバッテリパック用保護装置。
【請求項６】
前記連結部は、前記絶縁部によって一部がカバーされ、前記連結部は、前記絶縁部の外部に引き出されることを特徴とする請求項１に記載のバッテリパック用保護装置。
【請求項７】
前記導電部の支持部は、前記絶縁部によってカバーされるが、終端の外表面が外部に露出し、
前記支持部の終端の外表面は、前記絶縁部の外表面と同一平面であることを特徴とする請求項１に記載のバッテリパック用保護装置。
【請求項８】
前記絶縁部には、前記パッド部を外部に露出させる開口部が形成されたことを特徴とする請求項１に記載のバッテリパック用保護装置。
【請求項９】
導電プレートをパターニングして、パッド部、および前記パッド部の外側に位置する連結部を含む導電部を形成するステップと、
前記導電部の少なくとも一部をカバーする絶縁部を形成するステップとを含むことを特徴とするバッテリパック用保護装置の製造方法。
【請求項１０】
前記導電部を形成するステップにおいて、前記導電部は、前記パッド部と前記連結部との間に位置するパターン部をさらに含むことを特徴とする請求項９に記載のバッテリパック用保護装置の製造方法。
【請求項１１】
前記導電部を形成するステップの後に、
前記導電部上に電子素子を実装するステップをさらに含むことを特徴とする請求項９に記載のバッテリパック用保護装置の製造方法。
【請求項１２】
前記導電部同士は、前記電子素子を介して電気的に連結されることを特徴とする請求項１１に記載のバッテリパック用保護装置の製造方法。
【請求項１３】
前記導電部を形成するステップの後に、
前記導電部同士を配線部で電気的に連結するステップをさらに含むことを特徴とする請求項９に記載のバッテリパック用保護装置の製造方法。
【請求項１４】
前記絶縁部を形成するステップにおいて、
前記連結部は、前記絶縁部によって一部がカバーされ、前記連結部は、前記絶縁部の外部に引き出されることを特徴とする請求項９に記載のバッテリパック用保護装置の製造方法。
【請求項１５】
前記絶縁部を形成するステップの後に、
前記絶縁部は、前記パッド部を外部に露出させる開口部を形成するステップをさらに含むことを特徴とする請求項９に記載のバッテリパック用保護装置の製造方法。
【請求項１６】
前記導電部を形成するステップにおいて、前記導電部は、前記パッド部および前記連結部の外側に位置するフレーム部と、前記フレーム部を前記パッド部および前記連結部に連結する支持部とをさらに含むことを特徴とする請求項９に記載のバッテリパック用保護装置の製造方法。
【請求項１７】
前記絶縁部を形成するステップの後に、
前記支持部を切断して、前記パッド部および前記連結部を前記フレーム部から分離するステップをさらに含むことを特徴とする請求項１６に記載のバッテリパック用保護装置の製造方法。
【請求項１８】
請求項１ないし８のいずれか１項に記載のバッテリパック用保護装置を備えることを特徴とするバッテリパック。
【請求項１９】
前記ベアセルは、上面に負極端子を備え、前記連結部は、前記負極端子に連結され、
前記バッテリパック用保護装置は、前記負極端子を基準として前記ベアセルの一側に偏って位置することを特徴とする請求項１８に記載のバッテリパック。
【発明の詳細な説明】
【技術分野】
【０００１】
本発明は、バッテリパック用保護装置、その製造方法およびこれを備えたバッテリパックに関するものである。
【背景技術】
【０００２】
最近、携帯用電子機器の電源としてバッテリパックが多様に用いられている。また、携帯用電子機器が多様な分野で用いられるにつれ、バッテリパックに対する需要が急増している。このようなバッテリパックは、充放電して複数回使用可能であり、これによって、経済的および環境的にも効果的であるため、その使用が奨励されている。
【０００３】
また、電子機器に対する小型化、軽量化が要求されるにつれ、バッテリパックに対しても小型化、軽量化が要求されている。しかし、バッテリパックは、内部にリチウムなどのような反応性の大きい物質が具備されているため、安全性を理由に小型化および軽量化させるには制約があった。これによって、バッテリパックの安全性を向上させながら、同時に小型化および軽量化が可能なバッテリパックを開発するための多様な研究が進められている。
一方、このようなバッテリパックは、安全性のために多様な保護装置などをさらに含む。
【先行技術文献】
【特許文献】
【０００４】
【特許文献１】韓国特許公開    ２００７−００７１２４５
【特許文献２】韓国特許公開    ２００７−００８０８６３
【発明の概要】
【発明が解決しようとする課題】
【０００５】
本発明は、新規な構造を採用することで、小型化、軽量化が可能なバッテリパック用保護装置、その製造方法およびこれを備えたバッテリパックを提供する。
【０００６】
また、本発明は、バッテリパック用保護装置を備えることで、安全性が向上するバッテリパック用保護装置、その製造方法およびこれを備えたバッテリパックを提供する。
【課題を解決するための手段】
【０００７】
本発明の実施形態にかかるバッテリパック用保護装置は、パッド部と、前記パッド部の外側に位置するが、前記パッド部およびベアセルと電気的に連結される連結部を含む導電部と、前記導電部の少なくとも一部をカバーする絶縁部とを含み、前記パッド部および前記連結部は、同一平面上に位置することができる。
【０００８】
ここで、前記導電部は、前記パッド部および前記連結部と電気的に連結されるパターン部をさらに含むことができる。
【０００９】
また、前記導電部上に位置する電子素子をさらに含み、前記絶縁部は、前記電子素子をカバーすることができる。
【００１０】
また、前記導電部同士は、前記電子素子を介して電気的に連結できる。
【００１１】
また、前記導電部同士を電気的に連結する配線部をさらに含むことができる。
【００１２】
また、前記連結部は、前記絶縁部によって一部がカバーされ、前記連結部は、前記絶縁部の外部に引き出されるとよい。
【００１３】
また、前記導電部の支持部は、前記絶縁部によってカバーされるが、終端の外表面が外部に露出し、前記支持部の終端の外表面は、前記絶縁部の外表面と同一平面であり得る。
【００１４】
また、前記絶縁部には、前記パッド部を外部に露出させる開口部が形成できる。
【００１５】
本発明の実施形態にかかるバッテリパック用保護装置の製造方法は、導電プレートをパターニングして、パッド部、および前記パッド部の外側に位置する連結部を含む導電部を形成するステップと、前記導電部の少なくとも一部をカバーする絶縁部を形成するステップとを含むことができる。
【００１６】
この時、前記導電部を形成するステップにおいて、前記導電部は、前記パッド部および前記連結部の間に位置するパターン部をさらに含むことができる。
【００１７】
また、前記導電部を形成するステップの後に、前記導電部上に電子素子を実装するステップをさらに含むことができる。
【００１８】
また、前記導電部同士は、前記電子素子を介して電気的に連結できる。
【００１９】
また、前記導電部を形成するステップの後に、前記導電部同士を配線部で電気的に連結するステップをさらに含むことができる。
【００２０】
また、前記絶縁部を形成するステップにおいて、前記連結部は、前記絶縁部によって一部がカバーされ、前記連結部は、前記絶縁部の外部に引き出されるとよい。
【００２１】
また、前記絶縁部を形成するステップの後に、前記絶縁部に前記パッド部を外部に露出させる開口部を形成するステップをさらに含むことができる。
【００２２】
また、前記導電部を形成するステップにおいて、前記導電部は、前記パッド部および前記連結部の外側に位置するフレーム部と、前記フレーム部を前記パッド部および前記連結部に連結する支持部とをさらに含むことができる。
【００２３】
また、前記絶縁部を形成するステップの後に、前記支持部を切断して、前記パッド部および前記連結部を前記フレーム部から分離するステップをさらに含むことができる。
【００２４】
本発明の実施形態にかかるバッテリパックは、前記バッテリパック用保護装置を備えることができる。
【００２５】
ここで、前記ベアセルは、上面に負極端子を備え、前記連結部は、前記負極端子に連結され、前記バッテリパック用保護装置は、前記負極端子を基準として前記ベアセルの一側に偏って位置することができる。
【００２６】
本発明の特徴および利点は、添付図面に基づく、以下の詳細な説明からより明確になる。
【００２７】
これに先だち、本明細書および請求の範囲に使われた用語や単語は、通常かつ辞書的な意味で解釈されてはならず、発明者がその自分の発明を最も最善の方法で説明するために用語の概念を適切に定義することができるという原則に則り、本発明の技術的思想に符合する意味および概念で解釈されなければならない。
【発明の効果】
【００２８】
本発明のバッテリパック用保護装置、その製造方法およびこれを備えたバッテリパックによれば、バッテリパック用保護装置がベアセルの異常作動時にベアセルの電源を制御することから、バッテリパックの安全性が向上できる。
【００２９】
また、本発明によれば、導電部のパッド部および連結部が同一平面上に位置することによって、バッテリパック用保護装置の小型化を実現しながらも、製造上便宜を提供することができる。
【図面の簡単な説明】
【００３０】
【図１】本発明の一実施形態にかかるバッテリパック用保護装置の斜視図である。
【図２】図１に示すＡ−Ａ’線に沿ったバッテリパック用保護装置の断面図である。
【図３】図２に示すバッテリパック用保護装置の変形例である。
【図４】図１に示すバッテリパック用保護装置の導電部、電子素子、および配線部を示す平面図である。
【図５Ａ】本発明の一実施形態にかかるバッテリパック用保護装置の製造方法を説明するための図である。
【図５Ｂ】本発明の一実施形態にかかるバッテリパック用保護装置の製造方法を説明するための図である。
【図６Ａ】本発明の一実施形態にかかるバッテリパック用保護装置の製造方法を説明するための図である。
【図６Ｂ】本発明の一実施形態にかかるバッテリパック用保護装置の製造方法を説明するための図である。
【図７Ａ】本発明の一実施形態にかかるバッテリパック用保護装置の製造方法を説明するための図である。
【図７Ｂ】本発明の一実施形態にかかるバッテリパック用保護装置の製造方法を説明するための図である。
【図８Ａ】本発明の一実施形態にかかるバッテリパック用保護装置の製造方法を説明するための図である。
【図８Ｂ】本発明の一実施形態にかかるバッテリパック用保護装置の製造方法を説明するための図である。
【図９】本発明の一実施形態にかかるバッテリパック用保護装置を備えたバッテリパックの分解斜視図である。
【発明を実施するための形態】
【００３１】
本発明の目的、特定の利点および新規な特徴は、添付した図面に関連する以下の詳細な説明および実施形態からより明確になる。本明細書において、各図面の構成要素に参照番号を付するにあたり、同一の構成要素に限っては、仮に他の図面上に表示されていてもできるだけ同一の番号を有するようにしていることに留意しなければならない。また、第１、第２などの用語は、多様な構成要素を説明するのに使用可能であるが、前記構成要素は前記用語によって限定されてはならない。前記用語は、１つの構成要素を他の構成要素から区別する目的でのみ使われる。また、本発明を説明するにあたり、かかる公知技術に対する具体的な説明が本発明の要旨を不明にする可能性があると判断された場合、その詳細な説明は省略する。
【００３２】
以下、添付した図面を参照して、本発明の実施形態を詳細に説明する。
【００３３】
図１は、本発明の一実施形態にかかるバッテリパック用保護装置１００の斜視図であり、図２は、図１に示すＡ−Ａ’線に沿ったバッテリパック用保護装置１００の断面図である。以下、これを参照して、本実施形態にかかるバッテリパック用保護装置１００について説明する。
【００３４】
図１および図２に示すように、本実施形態にかかるバッテリパック用保護装置１００は、パッド部１１１および連結部１１２を含む導電部１１０と、導電部１１０をカバーする絶縁部１２０と、導電部１１０上に位置する電子素子１３０と、配線部１４０とを含み、パッド部１１１および連結部１１２が同一平面上に位置することができ、例えば、保護回路モジュール（ＰＣＭ）のような機能を果たすことができる。
【００３５】
導電部１１０は、ベアセル２１０（図９参照）からの電源を導通させる部材である。
【００３６】
ここで、導電部１１０は、パッド部１１１、およびパッド部１１１とベアセル２１０とを電気的に連結させる連結部１１２を含むことができ、この時、パッド部１１１および連結部１１２は、同一平面上に位置することができる。すなわち、パッド部１１１および連結部１１２が同じ高さに位置することができるという意味であり得る。また、パッド部１１１および連結部１１２は、１つの導電プレートから生成され、同じ物質からなり得、連結部１１２は、パッド部１１１の両外側に位置することができる。したがって、ベアセル２１０からの電源は、一側の連結部１１２、パッド部１１１、さらに他側の連結部１１２を介して、ベアセル２１０の負極端子２１１（図９参照）から正極端子またはカンに連結するとよい。一方、パッド部１１１は、以後バッテリパック２００（図９参照）が製造されると、外部とバッテリパック２００とを連結する部分になる部材で、Ｐ＋パッド１１１ａと、Ｐ−パッド１１１ｂと、接地パッドであるＣＦパッド１１１ｃとを含むことができ、連結部１１２は、ベアセル２１０の負極端子２１１に連結されるＢ−連結部１１２ｂと、ベアセル２１０の正極端子またはカンに連結されるＢ＋連結部１１２ａとを含むことができる。
【００３７】
また、導電部１１０は、パッド部１１１および連結部１１２のほか、パターン部１１３をさらに含むことができる。ここで、パターン部１１３は、パッド部１１１と連結部１１２との間に位置し、これら相互間を電気的に連結させる一種の回路パターンのような役割を果たすことができる。
【００３８】
絶縁部１２０は、導電部１１０上に位置し、導電部１１０の少なくとも一部をカバーする部材である。
【００３９】
ここで、絶縁部１２０は、例えば、モールディングなどの工程を通じて導電部１１０上に位置することができ、これによって、導電部１１０をカバーすることができる。この時、パッド部１１１とパターン部１１３は、絶縁部１２０によってほぼ全部分がカバーされ、連結部１１２は、外部に引き出されなければならないことから、一部分だけが絶縁部１２０によってカバーされ得る。したがって、連結部１１２は、絶縁部１２０の外部に突出した形状を有することができ、突出した連結部１１２は、ベアセル２１０に連結するとよい。
【００４０】
一方、パッド部１１１には外部機器が連結されることから、パッド部１１１は外部に露出することが好ましい。したがって、絶縁部１２０には開口部１２１が形成され得、開口部１２１を介して、パッド部１１１は外部に露出することができる。また、導電部１１０には、外側に向かって突出した形状の支持部１１４が具備できるが、このような支持部１１４は、以後バッテリパック用保護装置１００の製造方法で説明するフレーム部１１５に連結する部分で、絶縁部１２０の外部に露出することができる。この時、支持部１１４の突出した終端、すなわち支持部１１４の外表面は、絶縁部１２０の外表面と同一平面をなすことができる。すなわち、支持部１１４は、パッド部１１１、パターン部１１３、および連結部１１２に連結されて絶縁部１２０によってカバーされるが、支持部１１４の終端の表面だけが外部に露出できるという意味であり得る。このような支持部１１４は、パッド部１１１、連結部１１２、およびパターン部１１３と一体に形成されてから分離された部材で、これらと同一平面をなすように、すなわち、同じ高さに位置するように形成するとよい（図１および図４参照）。
【００４１】
図３は、図２に示すバッテリパック用保護装置１００の変形例である。以下、これを参照して、変形したバッテリパック用保護装置１００’の絶縁部１２０’について説明する。
【００４２】
図２では、絶縁部１２０が導電部１１０の両面を囲むものとして図示および説明し、これによって、絶縁部１２０にパッド部１１１が露出する開口部１２１を別途に形成しなければならないことを説明した。しかし、図３に示すように、絶縁部１２０’が導電部１１０の一面のみを囲むように実現してもよく、この場合、パッド部１１１は、当然ながら絶縁部１２０’の形成されない面を介して外部に向かって露出することができる。したがって、別途に開口部１２１を形成する作業が省略されることから、生産性がより向上できる。
【００４３】
図４は、図１に示すバッテリパック用保護装置１００の導電部１１０、電子素子１３０、および配線部１４０を示す平面図である。以下、これを参照して、本実施形態にかかる電子素子１３０および配線部１４０について説明する。ここで、図４は、図１に示すバッテリパック用保護装置１００から絶縁部１２０を除去した状態の図であり、図４に示す導電部１１０、電子素子１３０、配線部１４０の配置は一例に過ぎないことを予め明らかにする。
【００４４】
電子素子１３０は、導電部１１０上に位置する部材で、導電部１１０と共に回路をなして、ベアセル２１０の充電および放電時に電圧または電流を制御する部材である。
【００４５】
ここで、電子素子１３０は、ベアセル２１０内の電極アセンブリを制御したり、電極アセンブリの異常作動時に回路を遮断する機能を果たすことができ、具体的には、バッテリパック２００の過充電、過放電、過電流、短絡、逆電圧などを遮断して、バッテリパック２００の爆発、過熱、液漏れ、および充放電特性の劣化を防止し、電気的性能の低下および異常挙動を抑制することによって、危険要素を除去し、使用寿命を延ばすことができる。このような電子素子１３０は、集積回路１３４（ＩＣ）、またはＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）のようなスイッチング素子にするとよく、または抵抗１３１、キャパシタ１３２、バリスタ（Ｖａｒｉｓｔｏｒ）１３５などにしてもよい。また、このような電子素子１３０は、図２に示すように、絶縁部１２０によってカバーされ得る。
【００４６】
一方、電子素子１３０を介して導電部１１０が互いに連結されてもよい。例えば、抵抗１３１およびバリスタ１３５を介してＣＦパッド１１１ｃとＰ−パッド１１１ｂとが連結され、集積回路１３４を介して、Ｐ−パッド１１１ｂと、パターン部１１３と、Ｂ−連結部１１２ｂとが互いに連結されてもよい。また、パターン部１１３の間にも抵抗１３１やキャパシタ１３２などを介して連結されてもよい。このような電子素子１３０の配置は、バッテリパック用保護装置１００がバッテリパック２００の保護回路モジュール（ＰＣＭ）として作動可能に適切に行われるとよい。
【００４７】
配線部１４０は、導電部１１０同士を互いに連結する部材で、例えば、ワイヤやリードなどで実現できる。例えば、Ｐ＋パッド１１１ａとパターン部１１３とは配線部１４０を介して連結され得、配線部１４０と電子素子１３０との連結により、本実施形態にかかるバッテリパック用保護装置１００は、バッテリパック２００が安全に使用可能に補助することができる。
【００４８】
図５Ａないし図８Ｂは、本発明の一実施形態にかかるバッテリパック用保護装置１００の製造方法を説明するための図である。以下、これを参照して、本実施形態にかかるバッテリパック用保護装置１００の製造方法について説明する。ここで、図５Ａ、図６Ａ、図７Ａ、および図８Ａは断面図で示し、図５Ｂ、図６Ｂ、図７Ｂ、および図８Ｂは平面図で示していることを予め明らかにする。
【００４９】
まず、図５Ａおよび図５Ｂに示すように、導電プレートを用意し、これをパターニングして導電部１１０を形成する。
【００５０】
この時、導電プレートを切断したりエッチングして導電プレートをパターニングすることができ、導電プレートをパターニングすることによって、パッド部１１１および連結部１１２を含む導電部１１０を形成することができる。また、導電部１１０は、追加的に、パターン部１１３と、フレーム部１１５と、支持部１１４とを含むことができる。具体的には、フレーム部１１５は、パッド部１１１、連結部１１２、およびパターン部１１３の外側に位置することができ、支持部１１４は、パッド部１１１、連結部１１２、およびパターン部１１３をフレーム部１１５に連結することができる。したがって、支持部１１４およびフレーム部１１５によって、パターニングされたパッド部１１１、連結部１１２、およびパターン部１１３は、一体に連結された状態を維持することができる。
【００５１】
次に、図６Ａおよび図６Ｂに示すように、導電部１１０上に電子素子１３０を実装し、導電部１１０同士を配線部１４０で連結する。
【００５２】
この時、電子素子１３０の実装および配線部１４０の設置によって、複数のパッド部１１１、連結部１１２、およびパターン部１１３を含む導電部１１０同士が電気的に連結され得、電子素子１３０の実装および配線部１４０の設置は工程手順において前後を問わない。
【００５３】
次に、図７Ａおよび図７Ｂに示すように、導電部１１０の少なくとも一部をカバーするように絶縁部１２０を形成する。
【００５４】
この時、絶縁部１２０は、例えば、モールディング工程によって形成することができ、導電部１１０の両面をすべてモールディングしたり、または一面のみをモールディングすることができる。一方、絶縁部１２０が形成される場合、パッド部１１１およびパターン部１１３は完全に絶縁部１２０によってカバーされ、フレーム部１１５は全くカバーされず、支持部１１４および連結部１１２は一部だけがカバーされるとよい。すなわち、連結部１１２は、絶縁部１２０の両側から引き出された状態を維持することができる。
【００５５】
また、絶縁部１２０によって導電部１１０上に位置する電子素子１３０、および導電部１１０同士を連結する配線部１４０は、すべてカバーされて外部に露出しないとよい。
【００５６】
次に、図８Ａおよび図８Ｂに示すように、絶縁部１２０に開口部１２１を形成し、支持部１１４を切断する。
【００５７】
この時、絶縁部１２０に、パッド部１１１を外部に露出させる開口部１２１を形成することができる。開口部１２１は、例えば、レーザ工程、またはエッチング工程を通じて形成することができ、パッド部１１１が３つからなる場合、開口部１２１も、それぞれのパッド部１１１を露出させることができるように３つで構成できる。一方、絶縁部１２０に開口部１２１を形成する工程は必ずしも含まれるものではなく、例えば、図３で説明したように、絶縁部１２０が導電部１１０のいずれか一面にのみ形成される場合には、パッド部１１１が別の開口部形成工程なく外部に露出することができる。
【００５８】
また、パッド部１１１などをフレーム部１１５に連結する支持部１１４を切断して、パッド部１１１、連結部１１２、およびパターン部１１３をフレーム部１１５から分離させることができる。したがって、パッド部１１１、連結部１１２、およびパターン部１１３は、互いに分離されたり、電子素子１３０および配線部１４０を介して連結されることによって、一種の回路パターンとしての役割を果たすことができる。この時、絶縁部１２０を先に形成した後、支持部１１４を切断することから、支持部１１４の終端の外表面は、絶縁部１２０の外部に露出した状態であり得、支持部１１４の終端の外表面は、絶縁部１２０の外表面と同一平面をなすことができる（図１に示す）。
【００５９】
一方、開口部１２１の形成工程および支持部１１４の切断工程は、工程手順において前後を問わず、両工程を通じて、本実施形態にかかるバッテリパック用保護装置が製造できる。この時、絶縁物質に回路パターンをめっきする既存の保護回路モジュールとは異なり、本発明は、１つの導電プレートを予めパターン化し、これを絶縁部１２０でカバーする方式を利用することから、バッテリパック用保護装置１００をより精密かつ便利に製造し、かつ、バッテリパック用保護装置１００の小型化が可能である。
【００６０】
図９は、本発明の一実施形態にかかるバッテリパック用保護装置１００を備えたバッテリパック２００の分解斜視図である。以下、これを参照して、本実施形態にかかるバッテリパック２００について説明する。
【００６１】
図９に示すように、本実施形態にかかるバッテリパック２００は、ベアセル２１０と、ベアセル２１０の一側に備えられるバッテリパック用保護装置１００とを備えることができる。
【００６２】
ベアセル２１０は、イオンまたは電子の移動によって電気化学的エネルギーを発生させる部材である。ここで、ベアセル２１０は、電池ケースに正極板、負極板、およびこれら極板の間に介在するセパレータを巻き取りまたは積層して形成される電極アセンブリと、電解液が共に収納されて製造できる。電極アセンブリは、電解液との電気化学的反応によってエネルギーを発生させ、前記エネルギーは、ベアセル２１０の上面の負極端子２１１、および正極端子またはカンなどを介して外部に供給される。例えば、電池ケースは、パウチ型、角型または円筒型であり得る。
【００６３】
また、バッテリパック用保護装置１００は、図１または図３に示すバッテリパック用保護装置１００を用いることができ、導電部１１０と絶縁部１２０とを含み、パッド部１１１および連結部１１２が同一平面上に位置することができる。この時、バッテリパック用保護装置１００は、１つの導電プレートから導電部１１０を形成するため、従来とは異なって大きさを縮小し、ベアセル２１０のいずれか一側にのみ位置させることが可能である。例えば、ベアセル２１０の中央に位置する負極端子２１１を基準としていずれか一側に偏ってバッテリパック用保護装置１００を位置させることができ、これによって、バッテリパック用保護装置１００の小型化を実現することができる。この時、Ｂ−連結部１１２ｂはベアセル２１０の負極端子２１１に連結させ、Ｂ＋連結部１１２ａはベアセル２１０のカンに連結させることができる。一方、連結部１１２とベアセル２１０との間には、例えば、ＰＴＣ（Ｐｏｓｉｔｉｖｅ  Ｔｅｍｐｅｒａｔｕｒｅ  Ｃｏｅｆｆｉｃｉｅｎｔ）素子がさらに位置することができ、これによって、バッテリパック２００から発生する熱が過度になると、ベアセル２１０とバッテリパック用保護装置１００との間の電源を遮断して、バッテリパック２００の安全性を向上させることができる。
【００６４】
また、バッテリパック用保護装置１００が設けられたベアセル２１０の上部には、バッテリパック用保護装置１００をカバーするように上部カバー２２０が位置し、バッテリパック用保護装置１００を外部から保護することができる。この時、上部カバー２２０には、オープニング２２１が形成され得、オープニング２２１を介して導電部１１０のパッド部１１１が外部に露出して外部機器に連結されることによって、外部機器にバッテリパック２００の電源を供給することができる。
【００６５】
以上、本発明を、具体的な実施形態を通じて詳細に説明したが、これは本発明を具体的に説明するためのものであり、本発明にかかるバッテリパック用保護装置、その製造方法およびこれを備えたバッテリパックは、これに限定されず、本発明の技術的思想内で当該分野における通常の知識を有する者によってその変形や改良が可能であることは自明である。
【００６６】
本発明の単純な変形または変更はすべて本発明の領域に属し、本発明の具体的な保護範囲は、添付した特許請求の範囲によって明確になる。
【符号の説明】
【００６７】
１００、１００’：バッテリパック用保護装置
１１０：導電部
１１１：パッド部
１１２：連結部
１１３：パターン部
１１４：支持部
１１５：フレーム部
１２０、１２０’：絶縁部
１２１：開口部
１３０：電子素子
１４０：配線部
２００：バッテリパック
２１０：ベアセル
２１１：負極端子
２２０：上部カバー
【図１】
2014186996.tif 000003
【図２】
2014186996.tif 000004
【図３】
2014186996.tif 000005
【図４】
2014186996.tif 000006
【図５Ａ】
2014186996.tif 000007
【図５Ｂ】
2014186996.tif 000008
【図６Ａ】
2014186996.tif 000009
【図６Ｂ】
2014186996.tif 000010
【図７Ａ】
2014186996.tif 000011
【図７Ｂ】
2014186996.tif 000012
【図８Ａ】
2014186996.tif 000013
【図８Ｂ】
2014186996.tif 000014
【図９】
2014186996.tif 000015